(57)【特許請求の範囲】
【請求項１】
髪の毛に添加物を適用するための装置であって、
作動中に前記髪の毛と接触するよう長手方向に延在する基部を有し、該基部は添加物の分配システムを有し、
該分配システムは、添加物ディスペンサーに対して接続される入り口と、作動中に前記髪の毛に前記添加物を適用するための複数の出口とを有し、
流れの径路は、前記入り口と前記出口の各々との間に存在し、少なくとも一つの分岐点を有し、
該流れの径路は、前記入り口から前記出口の各々まで計測される実質的に同一である流れの抵抗を有し、
該実質的に同一である流れの抵抗は、前記流れの径路の各々が同一である一連の流れのチャネル及び流れのチャネルの分岐点を有することと、対応する前記一連の流れのチャネルが同一の長さ及び断面を有することと、対応する前記一連の流れのチャネルの分岐点が同一のブランチの数を有することと、によって与えられる、
髪の毛に添加物を適用するための装置。
【請求項２】
前記流れの径路は、円筒状のカバー要素によって覆われる円筒状のキャリア要素においてスロットとして与えられ、前記カバー要素における開口部に合流する、
ことを特徴とする請求項１に記載の髪の毛に添加物を適用するための装置。
【請求項３】
前記キャリア要素及び前記カバー要素は、互いに対して着脱可能に接続される、
ことを特徴とする請求項２に記載の髪の毛に添加物を適用するための装置。
【請求項４】
前記流れの径路は、長手方向に延在する平らな支持体において与えられるチャネルとして具備され、該チャネルは、前記入り口から中空の突起まで延在し、該中空の突起は前記支持体の表面から前記出口まで延在する、
ことを特徴とする請求項１に記載の髪の毛に添加物を適用するための装置。
【請求項５】
前記基部は、ハンドルが与えられる第１の端部と、前記添加物ディスペンサーが与えられる第２の端部とを有する、
ことを特徴とする請求項１に記載の髪の毛に添加物を適用するための装置。
【請求項６】
電気的なヘアースタイラーであって、
電源と、
ハンドルと、
髪の毛に添加物を適用するための装置と、
を有し、
前記装置は、作動中に髪の毛と接触するよう長手方向に延在する基部を有し、該基部は添加物の分配システムを有し、該分配システムは、添加物ディスペンサーに対して接続される入り口と作動中に前記髪の毛に前記添加物を適用するための複数の出口とを有し、
前記髪の毛に添加物を適用するための装置は、請求項１乃至５の何れか一に記載の装置である、
ことを特徴とする電気的なヘアースタイラー。
【請求項７】
電気的なヘアースタイラーであって、
電源と、
ハンドルと、
髪の毛に添加物を適用するための装置と、
を有し、
前記装置は、作動中に髪の毛と接触するよう長手方向に延在する基部を有し、該基部は添加物の分配システムを有し、該分配システムは、添加物ディスペンサーに対して接続される入り口と作動中に前記髪の毛に前記添加物を適用するための複数の出口とを有し、
前記髪の毛に添加物を適用するための装置は、請求項３に記載の装置であり、
前記キャリア要素及び前記カバー要素は、作動中に前記ハンドルに対して接続され、互いに対して結合されている際にのみ前記ハンドルから着脱可能である、
ことを特徴とするヘアースタイラー。
【請求項８】
前記カバー要素は、舌部を有し、
該舌部は、前記キャリア要素におけるスロットに適合し、前記キャリア要素が前記ハンドルに対して接続されている限り該スロットにおいて固定される、
ことを特徴とする請求項７に記載の電気的なヘアースタイラー。
【請求項９】
前記ハンドルは送風機ユニットを有し、
前記基部は、前記ハンドルから前記基部において与えられる空気の出口まで延在する空気伝達チャネルを有する、
ことを特徴とする請求項６に記載の電気的なヘアースタイラー。
【発明の詳細な説明】
【０００１】
本発明は、髪の毛への添加物を適用するための装置にかかる。当該装置は、作動中に髪の毛と接触するよう長手方向に延在する基部を有し、該基部は添加物の分配システムを有する。該分配システムは、添加物ディスペンサーに接続される入り口及び作動中の髪の毛に添加物を適用するための出口を有している。
【０００２】
さらに本発明は、電源とハンドルとを有する電気的なヘアースタイラー（ｈａｉｒｓｔｙｌｅｒ）にかかる。当該ヘアースタイラーは、電源、ハンドル、及び髪の毛に添加物を適用するための装置を有する。該装置は、作動中に髪の毛と接触する長手方向に延在する基部を有し、該基部は添加物の分配システムを有する。該分配システムは、添加物ディスペンサーに接続される入り口及び作動中の髪の毛に添加物を適用するための出口を有している。
【０００３】
冒頭にて定義される種類の髪の毛に添加物を適用するための装置は、ＥＰ０５２３４６０Ｂ１により既知である。かかる既知の装置の基部は、クシ歯を伴うクシ本体による形成される。クシ本体及びクシ歯は中空であるため、既知の装置において整髪するための泡である添加物を分配するための分配システムを形成する。入り口は、噴出を操作する部分及び容器を有する添加物ディスペンサーに接続される、中空のクシ本体の放出するチューブである。操作中に髪の毛に適用される泡がだされる分配システムの出口は、中空のクシ歯の端部における開口（ａｐｅｒｔｕｒｅｓ）によって形成される。操作中にボタンを作動することによって、泡は、泡放出チューブ及び中空のクシ本体を介してディスペンサーから放出され、中空のクシ歯を介してクシ歯の開口に向かい、髪の毛に導かれる。既知の装置の欠点は、特に泡である添加物が装置によって髪の毛全体に均一に分配されないことである。髪の毛に対する添加物の均一な分配は、装置を用いて良好な髪形を達成する場合において重要である。
【０００４】
本発明の目的は、整髪の性能に関して改善された冒頭で定義された種類の髪の毛に添加物を適用するための装置を提供することである。本発明に従った装置は、請求項１において定義付けられる。
【０００５】
かかる目的を達成するために、本発明による髪の毛に添加物を適用するための装置は、少なくとも一つの分岐点を有する流れの径路が入り口と各出口との間に存在することを特徴とする。該流れの径路は、入り口から各出口に向かって計測される実質的に同一な流れの抵抗を有する。各流れの径路が入り口から関連付けられる出口に向かって実質的に同一な流れの抵抗を有するという事実のため、作動中に入り口から入り各出口へ向かう流れの径路をたどる添加物は、各流れの径路に沿った実質的に同等の減速を受ける。このようにして、添加物はすべての出口に実際同時に行き届き、添加物の流率は実質的には各出口を通る添加物において同一である。この結果、添加物は髪の毛全体に均一に分配され、良好な髪形をもたらす。
【０００６】
当該装置の流れの径路の各々は、同一である一連の流れのチャネル及び流れのチャネルの分岐点（identical  sequence  of  flow  channels  and  flow  channel  ramification  points）を有する。該一連のうち対応する流れのチャネルは、同一の長さ及び断面を有し、該一連のうち対応する流れのチャネルの分岐点は、同一のブランチの数を有する。流れの径路における流れの抵抗が高い度合いで同一であるために、入り口から各出口に向かう流れの径路の実質的に同一な流れの抵抗がこの手法にて獲得される場合は有利である。このようにして、分配システムの構造は比較的単純であり、容易であり且つコスト効率がよい製造をもたらす。
【０００７】
本発明による髪の毛に添加物を適用するための実施態様は、流れの径路がスロットとして、円筒状のカバー要素によって覆われる円筒状のキャリア要素においてスロットとして与えられ、カバー要素での開口部に合流する、ことを特徴とする。このようにして、分配システムは、効果的な大量生産が可能で組み立てが容易である２つの部分のみから構成される。分配システムは、このようにして比較的単純でコスト効率の良い手法で実現され得る。更に、円筒状のカバー要素は二重機能を有する。内側円周範囲は分配システムにおいて流れの径路を形成するスロットを覆う一方、外側円周範囲はブラシヘアー又はピンのような追加的な整髪要素を収容できる。
【０００８】
キャリア要素及びカバー要素が互いに対して着脱可能に接続されることは有利である。当該装置において、特に泡である添加物の使用は、操作後に分配システム内に残存する添加物による、流れの径路又は出口あるいはその両者での障害となる危険性を含んでいる。残存する添加物は、流れ径路の流れの抵抗及び装置による髪の毛全体における均一な分配に悪影響を及ぼす。キャリア要素及びカバー要素を互いから分離する可能性を与えることにより、該キャリア要素及びカバー要素は個別に清掃され得る。結果として、分配システムは清潔に保たれ得、装置の良好な整髪能力は保証される。
【０００９】
本発明による髪の毛に添加物を適用するための実施態様は、流れの径路が長手方向に延在する平らな支持体（サポート）において与えられるチャネルとして具備され、該チャネルが入り口から中空の突起まで延在し、該中空の突起が支持体の表面から出口まで延在することを特徴とする。流れの径路が中空の突起とつながっているチャネルによって形成されるため、添加物が操作中に入り口から各出口に移動する間に流れの径路から漏出することが避けられる。このようにして、装置の操作及び性能に損傷をきたし得る分配システムから装置の別の部分への漏出は防がれる。
【００１０】
本発明による髪の毛に添加物を適用するための実施態様は、基部が、ハンドルが与えられる第１の端部及び添加物ディスペンサーが与えられる第２の端部を有する、ことを特徴とする。使用者が操作中に基部の一方の端部においてハンドルによって装置を保持し、基部を髪の毛に接触させるとき、基部の他方の端部における添加物ディスペンサーは、接触された髪の毛の房から少なくとも部分的に突出している。このようにして、添加物ディスペンサーは使用者によって容易に作動され得る。更にはこのように添加物ディスペンサーが容易に到達されるため、充填又は装置からの取り外しが単純に行なわれ得る。
【００１１】
本発明によると、冒頭に記載された種類の電気的なヘアースタイラーは、添加物を適用するための装置が本発明による装置であることを特徴とする。例えば、加熱要素若しくは空気を用いて電気的に髪の毛を整髪する利点は、髪の毛全体に均一に添加物を適用する利点によって増大される。髪の毛の効果的なスタイリング及びセッティングは、このように本発明によるヘアースタイラーによって達成され得る。
【００１２】
互いに対して着脱可能に接続されるキャリア要素及びカバー要素を有する本発明による電気的なヘアースタイラーにおいて、作動中にキャリア要素とカバー要素がハンドルに対して接続されること、及び互いに対して結合されている際にのみハンドルから着脱可能であることは、有利である。夫々の要素のうち一方が他方が取り外された後にもハンドルに対して取り付けられたままである場合に、潜在的な危険な状態がもたらされる。添加物を用いたヘアースタイラーの使用後に両要素を清潔にしたい使用者は、水等で一方の外された部分を安全に洗浄することができる。他方の部分が依然として取り付けられている電源手段を有するハンドルは、まだ不慮にプラグが差し込まれていることがあり得るため、液体と接触してはいけない。キャリア要素とカバー要素とが互いに対して取り付けられているときにハンドルから分離され得えさえすれば、かかる要素は、電気的な構成要素を伴うハンドルから着脱された後にのみ個別に洗浄され得る。これは、装置の使用の安全性に役立つ。
【００１３】
カバー要素が舌部を有することは有利である。該舌部は、キャリア要素におけるスロットに適合し、キャリア要素がハンドルに対して接続されている限りハンドルを用いてスロットにおいてしっかり固定される。キャリア要素及びカバー要素がハンドルから分離された後にのみ、カバー要素の舌部は、ハンドルによってキャリア要素におけるスロットに固定されないようになるためキャリア要素から外され得る。
【００１４】
本発明による電気的なヘアースタイラーの実施態様において、ハンドルは送風機ユニットを有し、基部はハンドルから基部において与えられる空気の出口まで延在する空気伝達チャネルを有する、ことを特徴とする。温風のブロー又は冷風のブローあるいはその両方のような空気を用いる整髪は、このように髪の毛全体における均一な添加物の分配と組み合わせされ、良好な整髪性能を提供するヘアースタイラーをもたらす。
【００１５】
本発明は、添付の図を参照してより詳細に記載される。
【００１６】
図１、２及び３は、本発明による電気的なヘアースタイラー４１において与えられる本発明による髪の毛に添加物を適用するための装置１の第一実施態様を示している。装置１は、作動中に髪の毛と接触する長手方向に延在する基部２を有し、該基部２は、添加物の分配システム３を有する。本実施態様において、基部２は、基部の外側周囲表面の全体にブラシピン６２を備えられる。しかしながら、かかる要素が与えられる基部における要素及び範囲における変化は可能である。例えば、ブラシピンは代替として、基部２の外部周辺表面の半分のみに与えられ得るか、あるいはブラシヘアーがピンの代わりに与えられてもよい。分配システム３は、添加物ディスペンサー５に対して接続される入り口を有している。本実施態様の添加物ディスペンサー５は、図２で概略的に示される泡ポンプ５１及び添加物容器５２を有する。添加物ディスペンサー５は、使用する添加物に依存して既知の種類であり得る。さらに分配システム３は、操作中に髪の毛に添加物を適用するための出口６を有する。流れの径路７、７´は、入り口４と各出口６との間に存在し、流れの径路は少なくとも一つの分岐点８を含んでいる。かかる流れの径路７、７´は、入り口４から各出口６に向かって計測された、実質的に同一な流れの抵抗を有する。操作中に使用者が添加物ディスペンサー５のボタンを押すことによって装置を作動させるとき、泡は、添加物ディスペンサー５内の泡ポンプ５１によって作られ、入り口４に導かれる。泡は、入り口４から分岐点８で終端する中央のチューブ３３を介して流れる。泡は、この分岐点８から流れの径路７及び７´のブランチ（枝）２７、２７´に沿って各出口６まで流れる。泡は、入り口４から各出口６まで流れの径路７、７´に沿って流れるとき、実質的に同一な流れの抵抗を受ける。このように泡は、すべての出口６に実際同時に到達して、出口６を実質的に同等の流率で去る。これは、髪の毛全体に均一な泡の分配をもたらし、良好な整髪を与える。さらに、基部２は、ハンドル２４が与えられる第１の端部２３、及び添加物ディスペンサー５が与えられる第２の端部２５を有する。使用者は、片手でハンドル２４によってヘアースタイラーを保持でき、基部２を容易に髪の毛に接触させ得る。添加物ディスペンサー５が基部２の他方の端部に与えられるため、使用者はもう片方の手でボタン５３を押すことによって作動させるようディスペンサー５に容易にアクセスし得る。故に添加物ディスペンサー５は、例えば交換又は補充のために容易に基部２から着脱され得る。
【００１７】
電気的なヘアースタイラー４１は、さらに電源手段４２を含む。図２及び３で見られるように、本実施態様におけるハンドル２４は送風機ユニット４３を有し、基部２はハンドル２４から基部２に与えられる空気出口４６まで延在する空気伝達チャネル４４を有する。電源手段４２及び送風機ユニット４３は既知の種類であり、本願においては概略的にのみ示されている。このようにして髪の毛は、図３において点線で示される通り、空気出口４６にわたって空気伝達チャネル４４を介して送風機ユニット４３から分配されて髪の毛まで導かれる温風又は冷風を用いて処理され得る一方と同時に、髪の毛は泡を用いて処理され得る。図３中波線矢印で示されるこの泡は、髪の毛全体に均一に分配される。良好な整髪は、このような手法によって達成可能である。空気及び泡が適用される順序は変更され得、泡の適用機能及び空気の適用機能はまた、電気的なヘアースタイラー４１で個別に使用される。
【００１８】
本発明による髪の毛に添加物を適用するための装置１´の第二実施態様を示している図４ａに見られるように、流れの径路７、７´は円筒状のカバー要素１１によって覆われる円筒状のキャリア要素１０においてスロット９として与えられる。該スロット９は、カバー要素１１で分配システムの出口を形成する、開口部１６に合流する。カバー要素１１及びキャリア要素１０は、互いに対して着脱可能に接続され、図６及び本明細書でさらに例証されている。カバー要素１１は、このように使用後においてキャリア要素１０から分離され得、かかる要素は残存の泡を除去するために洗浄される。これは、装置１を次に使用する場合に、分配システム３を通過する泡の適切な流れをもたらす。図４ｂは、発展図において流れの径路７、７´を伴うキャリア要素１０の一部を概略的に示している。図示される通り、点線及び実線でそれぞれ示されている流れの径路７及び７´、並びに入り口４と関連する開口部１６のうちの１つとの間における全ての流れの径の各々は、同一の一連の流れのチャネル１７及び１７´及び流れのチャネルの分岐点１８、２８及び１８´、２８´を有する。該一連のうち対応する流れのチャネル１７及び１７´は、同一の長さａ、ｂ、ｃ、ｄ、ｅ及び断面Ａ、Ｂ、Ｃ、Ｄ、Ｅを有し、並びに該一連のうち対応する流れのチャネルの分岐点１８、２８及び１８´、２８´は、同一のブランチ数を有する。この計測は比較的簡素で信頼できる手法で実質的に同一の流れの径路７、７´の流れの抵抗を保持する一方で、多くの修正は容易且つコスト効率のよい製造において作られ得る。構成はこのようにして、例えば出口の所望の数及び位置に適応され得る。本実施例においては図４ａにて示されているように、キャリア要素１０の周辺範囲の半分においてのみがスロット９を与えられ、該スロットはカバー要素１１において対応して位置付けられる開口部１６に合流する。本実施態様での添加物ディスペンサー５は前述の実施態様における手法と同一の手法で与えられており、ここでは更に説明されない、ことが留意される。
【００１９】
図５は、本発明による髪の毛に添加物を適用するための装置１´´の第三実施態様のキャリア要素２０及びカバー要素１１´を示している。この実施態様において、流れの径路は長手方向に延在する平らな支持体２０において備えられるチャネル１９として与えられる。チャネル１９は入り口４から中空の突起２１まで延在し、中空の突起２１は支持体２０の表面２２から出口６まで延在し、該出口はカバー要素１１´における開口部１６によって形成される。この実施態様でのカバー要素１１´はまた、ピンのような整髪要素を収容する役割及び髪の毛に対する空気の出口を与える役割を備えるため、装置は送風機ユニットを伴う電気的なヘアースタイラーで使用に対して適切である。この実施態様において、カバー要素１１´及びキャリア要素２０は、再度互いに対して着脱可能に接続される。
【００２０】
上述されたような添加物ディスペンサー５を具備される本発明による髪の毛に添加物を適用するための装置１の第二及び第三の実施態様は、単体で使用されるか若しくは電気的なヘアースタイラーとの組み合わせで使用され得る、ことが留意される。キャリア要素１０、２０及びカバー要素１１、１１´が電気的なヘアースタイラーにおいて与えられるとき、キャリア要素及びカバー要素は操作中ハンドルに対して接続される。かかる部分は、互いに対して結合されている間においてのみハンドルから分離され得る、ことが有利である。
【００２１】
図６は、本発明による電気的なヘアースタイラー４１のハンドル２４を伴う本発明による髪の毛に添加物を適用するための装置１´´´の第四実施態様のキャリア要素１０´及びカバー要素１１´´の着脱可能接続９０を概略的に示している。添加物の分配に関連するキャリア要素１０´及びカバー要素１１´´の一部が概略的に示されている。図６ｂは、図６ａの点線の長方形で囲まれた接続部分９０の詳細を示している。カバー要素１１´´は、舌部９１を有し、該舌部は、キャリア要素１０´におけるスロット９２に適合し、キャリア要素１０´がハンドル２４に対して接続されている限り該スロット９２において固定される。ハンドル２４とキャリア要素１０´及びカバー要素の組立体とが矢印１で示されるように分離された後にのみ、カバー要素１１´´は、矢印２で示されるようにキャリア要素１０´から分離され得る。使用後において電気的構成部分を収容する要素の一つがハンドルに対して結合されたままである場合には、ハンドルに接続している要素は、ハンドルが依然としてプラグを差し込まれている状態での洗浄中に液体に晒される。これは、使用者にとって危険な状態を導く。好ましい実施態様において前述の要素は、ハンドルからの両要素の分離後においてのみ、互いから分離されるため、両要素はハンドルからの分離後においてのみに別個に洗浄され得、装置の安全な取り扱いが操作後においても保護される。
【００２２】
入り口から出て各出口まで流れの径路をたどる添加物は、各流れの径路が本発明による髪の毛に添加物を適用するための装置において入り口から各出口まで実質的に同一な流れの抵抗を有するため、操作中は同等の流率で実際同時にすべての出口に到達する、ことが観察される。かかる添加物が装置によって髪の毛に均一に分配される結果として、良好な整髪の結果がもたらされる。流れの径路の実質的に同一な流れの抵抗は様々な手法で獲得される、ことが留意される。流れの径路は、入口から各出口までのもたらされる流れの径路の流れの抵抗が実質的に同一に維持されている限り、相互に異なる長さ、断面、及び分岐点の数を与えられてもよい。
【００２３】
更には、本発明による髪の毛に添加物を適用するための装置は髪の毛にわたる均一な泡の分配に特に適切である、ことが観察される。しかしながら、かかる装置はまた、例えばヘアーローション、ヘアートニック、若しくはヘアーコンディショナーのような髪の毛に対する他の添加物の均一の分配においても適している。また、髪の毛において最適に染色効果を達成するためには髪の毛全体にわたって均一に分配されることが重要である毛染め剤は、本発明による髪の毛に添加物を適用するための装置を伴って髪の毛全体に有利に分配される。
【図面の簡単な説明】
【図１】  本発明による髪の毛に添加物を適用するための装置の第一実施態様における本発明による電気的なヘアースタイラーの概略的側面図である。
【図２】  図１の線ＩＩ−ＩＩで切り取られた電気的なヘアースタイラーの概略的断面図である。
【図３】  図１の線ＩＩＩ−ＩＩＩで切り取られた電気的なヘアースタイラーの概略的断面図である。
【図４ａ】  本発明による髪の毛に添加物を適用するための装置の第二実施態様のキャリア要素及びカバー要素の斜視図である。
【図４ｂ】  図４ａのキャリア要素の一部の概略図である。
【図５】  本発明による髪の毛に添加物を適用するための装置の第三実施態様のキャリア要素及びカバー要素の分解図である。
【図６ａ】  本発明による電気的なヘアースタイラーのハンドルを伴う本発明による髪の毛に添加物を適用するための装置の第四実施態様のキャリア要素及びカバー要素の着脱可能接続の概略図である。
【図６ｂ】  図６ａの接続の一部の詳細図である。
【図１】
0004897183.tif 000002
【図２】
0004897183.tif 000003
【図３】
0004897183.tif 000004
【図４ａ】
0004897183.tif 000005
【図４ｂ】
0004897183.tif 000006
【図５】
0004897183.tif 000007
【図６ａ】
0004897183.tif 000008
【図６ｂ】
0004897183.tif 000009